(57)【要約】【課題】利用可能なチャンネル（セグメント）を的確に判断することができ、放送の競合を発生させることなくエリアワンセグ放送を発信することができる放送発信機を提供する。【解決手段】ステップＳ１，Ｓ２にて、エリアワンセグ放送を発信することができる地域及び時刻であるかを判定する。発信候補の物理チャンネルリストの中から、ステップＳ６にて最低Ｃ／Ｎ値のチャンネルを決定する。選択したチャンネルで放送を発信している発信機の位置を特定しなかった場合、または、選択したチャンネルで放送を発信している発信機の位置を特定した場合でも、自発信機の近傍で発信していない場合には、ステップＳ１２にて選択したチャンネルに決定し、ステップＳ１４にてエリアワンセグ放送を発信する。【選択図】図３
2013201601.tif 000002
【特許請求の範囲】
【請求項１】
エリアワンセグメント放送を発信することができる地域及び時刻であるかを判定する判定部と、
前記判定部でエリアワンセグメント放送を発信することができる地域及び時刻であると判定された場合に、エリアワンセグメント放送を発信する候補となるチャンネルまたはセグメントのリストの中から所定のチャンネルまたはセグメントを選択する選択部と、
前記選択部で選択したチャンネルまたはセグメントで放送を発信している発信機の位置を特定しなかった場合、または、前記選択部で選択したチャンネルまたはセグメントで放送を発信している発信機の位置を特定し、かつ、自発信機から所定の距離内で発信していない場合は、前記選択部で選択したチャンネルまたはセグメントを、エリアワンセグメント放送を発信するチャンネルまたはセグメントと決定する決定部と、
前記決定部で決定したチャンネルまたはセグメントを用いてエリアワンセグメント放送を発信する発信部と、
を備えることを特徴とする放送発信機。
【請求項２】
前記判定部は、前記発信部がエリアワンセグメント放送を発信した後も繰り返しエリアワンセグメント放送を発信することができる地域及び時刻であるかを判定し、
前記発信部は、前記判定部が、エリアワンセグメント放送を発信することができる地域または時刻のいずれか一方に該当しないと判定した場合に、エリアワンセグ放送の発信を停止する
ことを特徴とする請求項１記載の放送発信機。
【請求項３】
前記決定部は、前記選択部で選択したチャンネルまたはセグメントのＣ／Ｎ値が既定のＣ／Ｎ値より低い場合に、エリアワンセグメント放送を発信するチャンネルまたはセグメントと決定することを特徴とする請求項１または２に記載の放送発信機。
【請求項４】
前記選択部は、前記リストの中から最もＣ／Ｎ値が低いチャンネルまたはセグメントを選択し、選択したチャンネルまたはセグメントのＣ／Ｎ値が既定のＣ／Ｎ値より低くない場合に、最もＣ／Ｎ値が低いチャンネルまたはセグメントを除くよう前記リストを再編集し、次にＣ／Ｎ値が低いチャンネルまたはセグメントを選択することを特徴とする請求項３記載の放送発信機。
【請求項５】
前記発信部は、電波発信特性を全方位または特定方位に調整自在とされ、電波の出力を調整自在とされ、
自放送が緊急コンテンツであるか否か、既放送が緊急コンテンツであるか否かに応じて、電波発信特性と電波の出力を調整する
ことを特徴とする請求項１〜４のいずれか１項に記載の放送発信機。
【請求項６】
エリアワンセグメント放送を発信することができる地域であるか否かを判定し、
エリアワンセグメント放送を発信することができる時刻であるか否かを判定し、
エリアワンセグメント放送を発信することができる地域及び時刻であると判定された場合に、エリアワンセグメント放送を発信する候補となるチャンネルまたはセグメントのリストの中から所定のチャンネルまたはセグメントを選択し、
選択したチャンネルまたはセグメントで放送を発信している発信機の位置を特定したか否かを判定し、
選択したチャンネルまたはセグメントで放送を発信している発信機が、自発信機から所定の距離内で発信しているか否かを判定し、
選択したチャンネルまたはセグメントで放送を発信している発信機の位置を特定しなかった場合、または、選択したチャンネルまたはセグメントで放送を発信している発信機の位置を特定し、かつ、自発信機から所定の距離内で発信していない場合は、選択したチャンネルまたはセグメントを、エリアワンセグメント放送を発信するチャンネルまたはセグメントと決定し、
決定したチャンネルまたはセグメントを用いてエリアワンセグメント放送を発信する
ことを特徴とする放送発信機の制御方法。
【請求項７】
エリアワンセグメント放送を発信した後も繰り返しエリアワンセグメント放送を発信することができる地域及び時刻であるかを判定し、
エリアワンセグメント放送を発信することができる地域または時刻のいずれか一方に該当しないと判定した場合に、エリアワンセグメント放送の発信を停止する
ことを特徴とする請求項６記載の放送発信機の制御方法。
【請求項８】
選択したチャンネルまたはセグメントのＣ／Ｎ値が既定のＣ／Ｎ値より低い場合に、エリアワンセグメント放送を発信するチャンネルまたはセグメントと決定することを特徴とする請求項６または７に記載の放送発信機の制御方法。
【請求項９】
前記リストの中から最もＣ／Ｎ値が低いチャンネルまたはセグメントを選択し、
選択したチャンネルまたはセグメントのＣ／Ｎ値が既定のＣ／Ｎ値より低くない場合に、最もＣ／Ｎ値が低いチャンネルまたはセグメントを除くよう前記リストを再編集し、
次にＣ／Ｎ値が低いチャンネルまたはセグメントを選択する
ことを特徴とする請求項８記載の放送発信機の制御方法。
【請求項１０】
自放送が緊急コンテンツであるか否かを判定し、
既放送が緊急コンテンツであるか否かを判定し、
自放送が緊急コンテンツであるか否か、既放送が緊急コンテンツであるか否かに応じて、電波発信特性と電波の出力を調整する
ことを特徴とする請求項６〜９のいずれか１項に記載の放送発信機の制御方法。
【発明の詳細な説明】
【技術分野】
【０００１】
本発明は、特定の狭い地域で放送するためのデジタル放送波信号を発信する放送発信機及び放送発信機の制御方法に関する。
【背景技術】
【０００２】
アナログＴＶ放送が終了し、地上デジタル放送へ移行したことによって、アナログＴＶ放送で使用されていた周波数帯域が現在使用されていない状態となっている。このように使用されなくなった周波数帯域をホワイトスペースと呼ぶ。このホワイトスペースを有効利用するための検討が進められている。そのひとつとして、エリアワンセグメント放送（以下エリアワンセグ放送と呼ぶことがある）がある。
【０００３】
エリアワンセグ放送は、一般的なワンセグ放送の放送エリアを極めて狭い範囲に限定した放送である。従って、例えば、店舗周辺、あるいはイベント会場周辺というように受信可能エリア（放送対象エリア）を限定することができる。このように、エリアワンセグ放送は、あえて受信可能エリアを限定することで、その受信可能エリアにおける限定的な情報を、動画、音声あるいはデータ放送等のコンテンツによって、その受信可能エリア内にいるユーザのみに的確に提供できるという利点がある。
【先行技術文献】
【特許文献】
【０００４】
【特許文献１】特開２００８−７２５２６号公報
【特許文献２】特開２００９−７１４２０号公報
【発明の概要】
【発明が解決しようとする課題】
【０００５】
エリアワンセグ放送は、上記で述べたように店舗周辺やイベント会場周辺で放送される場合があり、この場合、店舗の開店／閉店や、イベントの開始／終了などによって放送がなされたりなされなかったりする。即ち、エリアワンセグ放送は地域や時間帯によって動的に変更されることになる。そこで、複数のエリアワンセグ放送で使用するチャンネル（またはセグメント）が競合しないようにすることが必要となる。
【０００６】
仮に複数のエリアワンセグ放送で使用するチャンネルが競合すると、エリアワンセグ放送を受信する受信機は、より大きな出力の電波で発信する放送発信機からの電波を優先して受信する。従って、視聴者が小さい出力の電波で発信する放送発信機からの電波を受信して視聴しようとしても、希望するエリアワンセグ放送を受信することができない。利用可能なチャンネルを的確に判断し、他の放送と競合を発生させることなく自らのエリアワンセグ放送を発信することができる放送発信機及び放送発信機の制御方法が求められている。
【０００７】
本発明はこのような要望に対応するため、利用可能なチャンネル（またはセグメント）を的確に判断することができ、他の放送と競合を発生させることなく自らのエリアワンセグ放送を発信することができる放送発信機及び放送発信機の制御方法を提供することを目的とする。
【課題を解決するための手段】
【０００８】
本発明は、上述した従来の技術の課題を解決するため、エリアワンセグメント放送を発信することができる地域及び時刻であるかを判定する判定部（１）と、前記判定部でエリアワンセグメント放送を発信することができる地域及び時刻であると判定された場合に、エリアワンセグメント放送を発信する候補となるチャンネルまたはセグメントのリストの中から所定のチャンネルまたはセグメントを選択する選択部（１）と、前記選択部で選択したチャンネルまたはセグメントで放送を発信している発信機の位置を特定しなかった場合、または、前記選択部で選択したチャンネルまたはセグメントで放送を発信している発信機の位置を特定し、かつ、自発信機から所定の距離内で発信していない場合は、前記選択部で選択したチャンネルまたはセグメントを、エリアワンセグメント放送を発信するチャンネルまたはセグメントと決定する決定部（１）と、前記決定部で決定したチャンネルまたはセグメントを用いてエリアワンセグメント放送を発信する発信部（６）とを備えることを特徴とする放送発信機を提供する。
【０００９】
上記の放送発信機において、前記判定部は、前記発信部がエリアワンセグメント放送を発信した後も繰り返しエリアワンセグメント放送を発信することができる地域及び時刻であるかを判定し、前記発信部は、前記判定部が、エリアワンセグメント放送を発信することができる地域または時刻のいずれか一方に該当しないと判定した場合に、エリアワンセグ放送の発信を停止することが好ましい。
【００１０】
上記の放送発信機において、前記決定部は、前記選択部で選択したチャンネルまたはセグメントのＣ／Ｎ値が既定のＣ／Ｎ値より低い場合に、エリアワンセグメント放送を発信するチャンネルまたはセグメントと決定することが好ましい。
【００１１】
上記の放送発信機において、前記選択部は、前記リストの中から最もＣ／Ｎ値が低いチャンネルまたはセグメントを選択し、選択したチャンネルまたはセグメントのＣ／Ｎ値が既定のＣ／Ｎ値より低くない場合に、最もＣ／Ｎ値が低いチャンネルまたはセグメントを除くよう前記リストを再編集し、次にＣ／Ｎ値が低いチャンネルまたはセグメントを選択することが好ましい。
【００１２】
上記の放送発信機において、前記発信部は、電波発信特性を全方位または特定方位に調整自在とされ、電波の出力を調整自在とされ、自放送が緊急コンテンツであるか否か、既放送が緊急コンテンツであるか否かに応じて、電波発信特性と電波の出力を調整することが好ましい。
【００１３】
また、本発明は、上述した従来の技術の課題を解決するため、エリアワンセグメント放送を発信することができる地域であるか否かを判定し、エリアワンセグメント放送を発信することができる時刻であるか否かを判定し、エリアワンセグメント放送を発信することができる地域及び時刻であると判定された場合に、エリアワンセグメント放送を発信する候補となるチャンネルまたはセグメントのリストの中から所定のチャンネルまたはセグメントを選択し、選択したチャンネルまたはセグメントで放送を発信している発信機の位置を特定したか否かを判定し、選択したチャンネルまたはセグメントで放送を発信している発信機が、自発信機から所定の距離内で発信しているか否かを判定し、選択したチャンネルまたはセグメントで放送を発信している発信機の位置を特定しなかった場合、または、選択したチャンネルまたはセグメントで放送を発信している発信機の位置を特定し、かつ、自発信機から所定の距離内で発信していない場合は、選択したチャンネルまたはセグメントを、エリアワンセグメント放送を発信するチャンネルまたはセグメントと決定し、決定したチャンネルまたはセグメントを用いてエリアワンセグメント放送を発信することを特徴とする放送発信機の制御方法を提供する。
【００１４】
上記の放送発信機の制御方法において、エリアワンセグメント放送を発信した後も繰り返しエリアワンセグメント放送を発信することができる地域及び時刻であるかを判定し、エリアワンセグメント放送を発信することができる地域または時刻のいずれか一方に該当しないと判定した場合に、エリアワンセグメント放送の発信を停止することが好ましい。
【００１５】
上記の放送発信機の制御方法において、選択したチャンネルまたはセグメントのＣ／Ｎ値が既定のＣ／Ｎ値より低い場合に、エリアワンセグメント放送を発信するチャンネルまたはセグメントと決定することが好ましい。
【００１６】
上記の放送発信機の制御方法において、前記リストの中から最もＣ／Ｎ値が低いチャンネルまたはセグメントを選択し、選択したチャンネルまたはセグメントのＣ／Ｎ値が既定のＣ／Ｎ値より低くない場合に、最もＣ／Ｎ値が低いチャンネルまたはセグメントを除くよう前記リストを再編集し、次にＣ／Ｎ値が低いチャンネルまたはセグメントを選択することが好ましい。
【００１７】
上記の放送発信機の制御方法において、自放送が緊急コンテンツであるか否かを判定し、既放送が緊急コンテンツであるか否かを判定し、自放送が緊急コンテンツであるか否か、既放送が緊急コンテンツであるか否かに応じて、電波発信特性と電波の出力を調整することが好ましい。
【発明の効果】
【００１８】
本発明の放送発信機及び放送発信機の制御方法によれば、利用可能なチャンネル（またはセグメント）を的確に判断することができ、他の放送と競合を発生させることなく自らのエリアワンセグ放送を発信することができる。
【図面の簡単な説明】
【００１９】
【図１】本発明の放送発信機の各実施形態を示すブロック図である。
【図２】地上デジタル放送におけるチャンネルとセグメントとの関係を示す図である。
【図３】第１実施形態を示すフローチャートである。
【図４】第２実施形態を示すフローチャートである。
【図５】第２実施形態を示すフローチャートである。
【発明を実施するための形態】
【００２０】
以下、本発明の放送発信機及び放送発信機の制御方法の各実施形態について、添付図面を参照して説明する。
【００２１】
＜第１実施形態＞
図１において、制御部１は、放送発信機内の各部を制御する。外部通信部２はネットワークと接続されており、ネットワークを介して外部より種々の情報を入手する。また、外部通信部２は、放送発信機によって得た情報を、ネットワークを介して外部のサーバ等に送信する。外部通信部２はＧＰＳアンテナを有する。
【００２２】
デジタル放送チューナ３は、デジタル放送を受信する。地上デジタル放送は、図２に示すように、１チャンネルを１３セグメントに分割し、そのうちの１２セグメントを用いた、いわゆるフルセグメント放送と、ハッチングを付した中央の１セグメントのみを用いた、いわゆるワンセグメント放送とを同時に放送可能な方式である。デジタル放送チューナ３は、フルセグメント放送のみを受信するチューナであってもよいし、ワンセグメント放送のみを受信するチューナであってもよいし、フルセグメント放送とワンセグメント放送の双方を受信するチューナであってもよい。デジタル放送チューナ３が受信したデジタル放送から抽出したトランスポート・ストリーム（ＴＳ）は多重化部５に供給される。
【００２３】
デジタル放送チューナ３がＴＳを多重化部５に供給するのは、デジタル放送チューナ３で受信した番組を本実施形態の放送発信機で再送信する場合があるからである。デジタル放送チューナ３で受信した番組を再送信しない場合には、デジタル放送チューナ３から出力されたＴＳを多重化部５に供給する必要はない。
【００２４】
ＴＳエンコーダ４には、本実施形態の放送発信機で発信する放送対象信号が入力される。放送対象信号は、アナログ映像信号、アナログ音声信号、インターネットプロトコルによるテレビジョン信号（ＩＰＴＶ）、映像及び音声以外のデータ等、任意である。ＴＳエンコーダ４は放送対象信号をＴＳに変換して多重化部５に供給する。多重化部５は、ＴＳエンコーダ４からのＴＳとデジタル放送チューナ３からのＴＳとを必要に応じて多重化して、ＯＦＤＭ（Orthogonal Frequency Division Multiplexing）変調部６に供給する。多重化部５は、ＴＳエンコーダ４からのＴＳのみをＯＦＤＭ変調部６に供給する場合もある。
【００２５】
ＯＦＤＭ変調部６は、入力されたＴＳをＯＦＤＭ変調してエリアワンセグ放送の放送波として発信する。
【００２６】
さて、図３を用いて、第１実施形態の放送発信機がエリアワンセグ放送を行うチャンネルをどのように決定するかについて説明する。図３において、制御部１は、ステップＳ１にて、エリアワンセグ放送の発信が可能な地域であるか否かを判定する。制御部１は、外部通信部２が有するＧＰＳアンテナで受信するＧＰＳ信号に基づいてエリアワンセグ放送の発信が可能な地域であるか否かを判定することができる。エリアワンセグ放送の発信が可能な地域であると判定されれば（YES）、制御部１は、処理をステップＳ２に移行させる。
【００２７】
制御部１は、ステップＳ２にて、エリアワンセグ放送の発信が可能な時刻であるか否かを判定する。制御部１は、ＧＰＳ信号に基づいて時刻情報を入手してもよいし、エリアワンセグ放送発信機内部の時計から時刻情報を入手してもよい。エリアワンセグ放送の発信が可能な時刻であると判定されれば（YES）、制御部１は、ステップＳ３にて、発信候補の物理チャンネルリストを決定する。エリアワンセグ放送発信機が、内部に発信可能な物理チャンネルの候補のリストを有していてもよいし、外部通信部２によって外部から入手してもよい。
【００２８】
制御部１は、ステップＳ４にて、デジタル放送チューナ３を、ステップＳ３で決定したリストの中の１つのチャンネルにチューニングさせる。制御部１は、ステップＳ５にて、チューニングしたチャンネルのＣ／Ｎ値を取得する。制御部１は、ステップＳ６にて、チャンネルリストのサーチが終了したか否かを判定する。サーチが終了したと判定されれば（YES）、制御部１は、処理をステップＳ７に移行させ、サーチが終了したと判定されなければ（NO）、制御部１は、処理をステップＳ４に戻してステップＳ４〜Ｓ６を繰り返す。
【００２９】
制御部１は、ステップＳ７にて、サーチしたチャンネルリストのうち、Ｃ／Ｎ値が最も低いチャンネルを決定する。制御部１は、ステップＳ８にて、デジタル放送チューナ３をステップＳ７で決定したチャンネルにチューニングさせる。
【００３０】
制御部１は、ステップＳ９にて、規定のＣ／Ｎ値より低いか否かを判定する。規定のＣ／Ｎ値より低いと判定されれば（YES）、制御部１は、処理をステップＳ１０に移行させ、規定のＣ／Ｎ値より低いと判定されなければ（NO）、制御部１は、処理をステップＳ１５に移行させる。制御部１は、ステップＳ１０にて、ステップＳ７で決定した該当のチャンネルで放送を発信している発信機の位置を特定したか否かを判定する。放送発信機が、内部にそれぞれのチャンネルで放送を発信している発信機の位置を特定するための情報を有していてもよいし、外部通信部２によって外部から入手してもよい。
【００３１】
発信機の位置を特定したと判定されれば（YES）、制御部１は、処理をステップＳ１１に移行させ、発信機の位置を特定したと判定されなければ（NO）、制御部１は、処理をステップＳ１２に移行させる。制御部１は、ステップＳ１１にて、ステップＳ１０で特定した発信機の放送範囲を特定することによって、自発信機の近傍で発信しているか否かを判定する。自発信機の近傍で発信していると判定されれば（YES）、制御部１は、処理をステップＳ１５に移行させ、自発信機の近傍で発信していると判定されなければ（NO）、制御部１は、処理をステップＳ１２に移行させる。
【００３２】
制御部１は、ステップＳ１２にて、ステップＳ７で決定したチャンネルを、エリアワンセグ放送を発信する物理チャンネルとして決定する。制御部１は、ステップＳ１３にて、そのチャンネルでエリアワンセグ放送を発信することを他のエリアワンセグ放送発信機と情報共有する。具体的には、制御部１は、エリアワンセグ放送を発信するチャンネルの情報を、外部通信部２によってネットワークを介して外部のサーバに送信する。複数の放送発信機が共通のサーバに使用する物理チャンネルの情報を送信するようにすれば、使用可能な物理チャンネルを容易に選択することが可能となる。
【００３３】
そして、制御部１は、ステップＳ１４にて、エリアワンセグ放送を発信し、処理をステップＳ１に戻してステップＳ１以降を繰り返す。
【００３４】
一方、ステップＳ７で決定したチャンネルが規定のＣ／Ｎ値より低くない場合や、他の発信機が自発信機の近傍で発信している場合には、制御部１は、ステップＳ１５にて、ステップＳ７で決定した物理チャンネルをチャンネルリストから外し、発信候補の物理チャンネルリストを再編集する。制御部１は、ステップＳ１６にて、ステップＳ１３と同様、ステップＳ７で決定したチャンネルが使用不可であることをサーバに送信して情報共有する。制御部１は、ステップＳ１６の後、処理をステップＳ４に戻し、ステップＳ４以降を繰り返す。制御部１は、２回目のステップＳ７にて、Ｃ／Ｎ値が次に低いチャンネル（ここでは２番目に低いチャンネル）を決定して、以降、同様の処理を実行する。
【００３５】
ステップＳ１にて、エリアワンセグ放送の発信が可能な地域であると判定されなければ（NO）、また、ステップＳ２にて、エリアワンセグ放送の発信が可能な時刻であると判定されなければ（NO）、制御部１は、ステップＳ１７にて、エリアワンセグ放送の発信を停止し、処理をステップＳ１に戻す。
【００３６】
このように、エリアワンセグ放送を発信した後も繰り返しエリアワンセグ放送を発信することができる地域及び時刻であるかを判定するので、エリアワンセグ放送を発信することができる地域または時刻のいずれか一方に該当しないと判定された場合に、その時点で、エリアワンセグ放送の発信が停止されることになる。また、エリアワンセグ放送を発信することができる地域及び時刻の双方に該当すると判定された場合には、その時点でエリアワンセグ放送の発信が開始されることになる。
【００３７】
以上説明した第１実施形態においては、所定のチャンネルでエリアワンセグ放送を行う場合、即ち、通常のワンセグメント放送と同様に１つのチャンネルの１３セグメントのうち中央のワンセグメントのみを用いた場合の手順について説明した。しかし、エリアワンセグ放送は、中央の１セグメントのみを用いるのではなく、同じチャンネル内の他の１２セグメントが空いていれば、これらのセグメントをそれぞれ用いて最大１３個の異なるコンテンツを放送することも可能である。この場合は、チャンネル単位ではなく、さらにチャンネル内のセグメント単位での競合も勘案しないとならないが、この場合は、図３におけるチャンネルをセグメントと置き換えればよい。
【００３８】
第１実施形態の放送発信機は、以上のように動作することから、制御部１は機能的に次のような判定部と選択部と決定部を有する。判定部は、エリアワンセグ放送を発信することができる地域及び時刻であるかを判定する。この際、判定部は、外部通信部２からの情報を用いてもよい。選択部は、判定部でエリアワンセグ放送を発信することができる地域及び時刻であると判定された場合に、エリアワンセグ放送を発信する候補となるチャンネルまたはセグメントのリストの中から所定のチャンネルまたはセグメントを選択する。
【００３９】
決定部は、選択部で選択したチャンネルまたはセグメントで放送を発信している発信機の位置を特定しなかった場合、または、選択部で選択したチャンネルまたはセグメントで放送を発信している発信機の位置を特定した場合で、自発信機の近傍、即ち、自発信機から所定の距離内で発信していない場合には、選択部で選択したチャンネルまたはセグメントを、エリアワンセグ放送を発信するチャンネルまたはセグメントと決定する。ＯＦＤＭ変調部６は、発信部として、制御部１による制御に基づいて、決定部で決定したチャンネルまたはセグメントを用いてエリアワンセグ放送を発信する。
【００４０】
＜第２実施形態＞
第２実施形態の放送発信機のブロック構成は、図１と同じである。第２実施形態は、エリアワンセグ放送にて放送するコンテンツに応じて放送を発信する範囲を動的に変更するように動作させるように構成したものである。
【００４１】
図４及び図５を用いて、第２実施形態の放送発信機がエリアワンセグ放送を行うセグメントをどのように決定し、放送を発信する範囲をどのように変更するかについて説明する。図4における丸Ａ〜Ｄは、図５における丸Ａ〜Ｄへとつながる。図４において、制御部１は、ステップＳ２１にて、エリアワンセグ放送の発信が可能な地域であるか否かを判定する。このステップＳ２１は、図３のステップＳ１と同じである。エリアワンセグ放送の発信が可能な地域であると判定されれば（YES）、制御部１は、処理をステップＳ２２に移行させる。
【００４２】
制御部１は、ステップＳ２２にて、エリアワンセグ放送の発信が可能な時刻であるか否かを判定する。このステップＳ２２は、図３のステップＳ２と同じである。エリアワンセグ放送の発信が可能な時刻であると判定されれば（YES）、制御部１は、ステップＳ２３にて、発信候補のセグメントリストを決定する。放送発信機が、内部に発信候補のセグメントリストを有していてもよいし、外部通信部２によって外部から入手してもよい。
【００４３】
制御部１は、ステップＳ２４にて、発信候補セグメントがリスト内にあるか否かを判定する。発信候補セグメントがリスト内にあると判定されれば（YES）、制御部１は、処理をステップＳ２５に移行させ、発信候補セグメントがリスト内にあると判定されなければ（NO）、制御部１は、処理をステップＳ５５に移行させる。
【００４４】
制御部１は、ステップＳ２５にて、デジタル放送チューナ３を、ステップＳ２３で決定したリストの中の１つのセグメントにチューニングさせる。制御部１は、ステップＳ２６にて、チューニングしたセグメントのＣ／Ｎ値を取得する。制御部１は、ステップＳ２７にて、セグメントリストのサーチが終了したか否かを判定する。サーチが終了したと判定されれば（YES）、制御部１は、処理をステップＳ２８に移行させ、サーチが終了したと判定されなければ（NO）、制御部１は、処理をステップＳ２５に戻してステップＳ２５〜Ｓ２７を繰り返す。
【００４５】
制御部１は、ステップＳ２８にて、サーチしたセグメントリストのうち、Ｃ／Ｎ値が最も低いセグメントを決定する。制御部１は、ステップＳ２９にて、デジタル放送チューナ３をステップＳ２８で決定したセグメントにチューニングさせる。
【００４６】
制御部１は、図５のステップＳ３０にて、規定のＣ／Ｎ値より低いか否かを判定する。規定のＣ／Ｎ値より低いと判定されれば（YES）、制御部１は、処理をステップＳ３１に移行させ、規定のＣ／Ｎ値より低いと判定されなければ（NO）、制御部１は、処理をステップＳ３８に移行させる。制御部１は、ステップＳ３１にて、自放送が緊急コンテンツであるか否かを判定する。緊急コンテンツとは、例えば防災用の放送または災害発生時の緊急放送のためのコンテンツである。緊急コンテンツであると判定されれば（YES）、制御部１は、処理をステップＳ４８に移行させ、緊急コンテンツであると判定されなければ（NO）、制御部１は、処理をステップＳ３２に移行させる。
【００４７】
制御部１は、ステップＳ４８にて、エリアワンセグ放送を発信する際の電波発信特性を全方位（無指向）に調整し、ステップＳ４９にて、電波の出力をデフォルトの値（所定の設定値）よりも増加させて、ステップＳ５２に移行させる。
【００４８】
制御部１は、ステップＳ３２にて、デジタル放送チューナ３で受信している既放送が緊急コンテンツであるか否かを判定する。既放送が緊急コンテンツであると判定されれば（YES）、制御部１は、処理をステップＳ３３に移行させ、既放送が緊急コンテンツであると判定されなければ（NO）、制御部１は、処理をステップＳ３６に移行させる。
【００４９】
制御部１は、ステップＳ３３にて緊急放送の再マルチプレクス（MUX）処理を実行し、ステップＳ３４にて、該当のセグメントで放送を発信している発信機の位置を特定したか否かを判定する。放送発信機が、内部にそれぞれのセグメントで放送を発信している発信機の位置を特定するための情報を有していてもよいし、外部通信部２によって外部から入手してもよい。
【００５０】
発信機の位置を特定したと判定されれば（YES）、制御部１は、処理をステップＳ３５に移行させ、発信機の位置を特定したと判定されなければ（NO）、制御部１は、処理をステップＳ４４に移行させる。制御部１は、ステップＳ３５にて、ステップＳ３４で特定した発信機の放送範囲を特定することによって、自発信機の近傍で発信しているか否かを判定する。自発信機の近傍で発信していると判定されれば（YES）、制御部１は、処理をステップＳ４６に移行させ、自発信機の近傍で発信していると判定されなければ（NO）、制御部１は、処理をステップＳ４８に移行させる。
【００５１】
制御部１は、ステップＳ４６にて、エリアワンセグ放送を発信する際の電波発信特性を特定の方位に調整し、ステップＳ４７にて、電波の出力をデフォルトの値よりも増加させて、ステップＳ５２に移行させる。
【００５２】
制御部１は、ステップＳ３６にて、該当のセグメントで放送を発信している発信機の位置を特定したか否かを判定する。発信機の位置を特定したと判定されれば（YES）、制御部１は、処理をステップＳ３７に移行させ、発信機の位置を特定したと判定されなければ（NO）、制御部１は、処理をステップＳ４４に移行させる。制御部１は、ステップＳ３７にて、ステップＳ３６で特定した発信機の放送範囲を特定することによって、自発信機の近傍で発信しているか否かを判定する。自発信機の近傍で発信していると判定されれば（YES）、制御部１は、処理を図４のステップＳ４２に移行させ、自発信機の近傍で発信していると判定されなければ（NO）、制御部１は、処理をステップＳ４４に移行させる。
【００５３】
制御部１は、ステップＳ４２にて、ステップＳ２８で決定したセグメントを発信候補のセグメントリストから外し、セグメントリストを再編集する。制御部１は、ステップＳ４３にて、ステップＳ２８で決定したセグメントが使用不可であることをサーバに送信して情報共有する。制御部１は、ステップＳ４３の後、処理をステップＳ２４に戻し、ステップＳ２４以降を繰り返す。
【００５４】
制御部１は、図５のステップＳ４４にて、エリアワンセグ放送を発信する際の電波発信特性を全方位（無指向）に調整し、ステップＳ４５にて、電波の出力をデフォルトの値にして、ステップＳ５２に移行させる。
【００５５】
一方、制御部１は、ステップＳ３８にて、自放送が緊急コンテンツであるか否かを判定する。緊急コンテンツであると判定されれば（YES）、制御部１は、処理をステップＳ３９に移行させ、緊急コンテンツであると判定されなければ（NO）、制御部１は、処理をステップＳ４０に移行させる。制御部１は、ステップＳ３９にて、デジタル放送チューナ３で受信している既放送が緊急コンテンツであるか否かを判定する。既放送が緊急コンテンツであると判定されれば（YES）、制御部１は、処理をステップＳ４１に移行させ、既放送が緊急コンテンツであると判定されなければ（NO）、制御部１は、処理をステップＳ４８に移行させる。
【００５６】
制御部１は、ステップＳ４０にて、既放送が緊急コンテンツであるか否かを判定する。既放送が緊急コンテンツであると判定されれば（YES）、制御部１は、処理をステップＳ４２に移行させ、既放送が緊急コンテンツであると判定されなければ（NO）、制御部１は、処理をステップＳ４１に移行させる。制御部１は、ステップＳ４１にて、該当のセグメントで放送を発信している発信機の位置を特定したか否かを判定する。発信機の位置を特定したと判定されれば（YES）、制御部１は、処理をステップＳ５０に移行させ、発信機の位置を特定したと判定されなければ（NO）、制御部１は、処理をステップＳ４４に移行させる。
【００５７】
制御部１は、ステップＳ５０にて、エリアワンセグ放送を発信する際の電波発信特性を特定の方位に調整し、ステップＳ５１にて、電波の出力をデフォルトの値にして、ステップＳ５２に移行させる。
【００５８】
制御部１は、ステップＳ５２にて、ステップＳ２８で決定したセグメントを、エリアワンセグ放送を発信するセグメントとして決定する。制御部１は、ステップＳ５３にて、そのセグメントでエリアワンセグ放送を発信することを他の放送発信機と情報共有する。そして、制御部１は、ステップＳ５４にて、エリアワンセグ放送を発信し、処理を図４のステップＳ２１に戻してステップＳ２１以降を繰り返す。
【００５９】
制御部１は、図４のステップＳ５５にて、エリアワンセグ放送を発信する際の電波発信特性を特定の方位に調整し、ステップＳ５６にて、電波の出力をデフォルトの値よりも減少させる。そして、制御部１は、ステップＳ５７にて、Ｃ／Ｎ値が低く、かつ、発信機の位置が遠方の既放送セグメントを発信セグメントとして決定して、図５のステップＳ５３に移行させる。
【００６０】
ステップＳ２１にて、エリアワンセグ放送の発信が可能な地域であると判定されなければ（NO）、また、ステップＳ２２にて、エリアワンセグ放送の発信が可能な時刻であると判定されなければ（NO）、制御部１は、ステップＳ５８にて、エリアワンセグ放送の発信を停止し、処理をステップＳ２１に戻す。
【００６１】
以上のように第２実施形態においては、以下のルート１〜４，６のルートでエリアワンセグ放送を発信する方位と電波の出力とをそれぞれ設定して放送する。また、ルート５では、発信候補のセグメントをソートする。
【００６２】
ルート１：全方位にデフォルトの電波の出力で発信する
・該当セグメントが既放送に用いられていない場合
・既放送が既定Ｃ／Ｎ値以上であり、自放送と既放送の双方が緊急コンテンツまたは通常コンテンツであって、既放送の発信機位置及び放送範囲が特定できない場合
・既放送が既定Ｃ／Ｎ値未満であり、自放送と既放送の双方が緊急コンテンツではなく、既放送の発信機位置及び放送範囲が特定できない場合
・既放送が既定Ｃ／Ｎ値未満であり、自放送が緊急コンテンツではなく、既放送が緊急コンテンツの場合で、自発信機からその既放送の再送信を行い、既放送の発信機位置及び放送範囲が特定できない場合
・既放送が既定Ｃ／Ｎ値以上であり、自放送と既放送の双方が緊急コンテンツではない場合で、既放送の発信機が近傍にない場合
【００６３】
ルート２：既放送の発信機の方位を除き、電波の出力を増加させて発信する
・既放送が既定Ｃ／Ｎ値未満であり、自放送が緊急コンテンツではなく、既放送が緊急コンテンツの場合で、自発信機からその既放送の再送信を行い、既放送の発信機が近傍にある場合
【００６４】
ルート３：全方位に、電波の出力を増加させて発信する
・既放送が既定Ｃ／Ｎ値未満であり、自放送が緊急コンテンツではなく、既放送が緊急コンテンツの場合で、自発信機からその既放送の再送信を行い、既放送の発信機が近傍にない場合
・既放送が既定Ｃ／Ｎ値未満であり、自放送が緊急コンテンツの場合
・既放送が既定Ｃ／Ｎ値以上であり、自放送が緊急コンテンツであり、既放送が緊急コンテンツでない場合
【００６５】
ルート４：既放送の発信機の方位を除き、デフォルトの電波の出力で発信する
・既放送が既定Ｃ／Ｎ値以上であり、自放送と既放送の双方が緊急コンテンツまたは通常コンテンツであって、既放送の発信機位置及び放送範囲が特定できた場合
【００６６】
ルート５：次候補セグメントのソート
・既放送が既定Ｃ／Ｎ値未満であり、自放送と既放送の双方が緊急コンテンツではなく、既放送の発信機が近傍にある場合
・既放送が既定Ｃ／Ｎ値以上であり、自放送が緊急コンテンツではなく、既放送が緊急コンテンツの場合
【００６７】
ルート６：全候補セグメントのソートでも発信セグメントが特定できなかった場合
・Ｃ／Ｎ値が低く、かつ、発信機が遠方にある既放送セグメントを発信セグメントとして決定する
【００６８】
本発明は以上説明した各実施形態に限定されるものではなく、本発明の要旨を逸脱しない範囲において種々変更可能である。図１は、放送発信機のブロック構成の単なる一例であり、本発明は図１の構成に限定されるものではない。放送発信機の制御方法をコンピュータプログラムによって実現してもよい。
【符号の説明】
【００６９】
１  制御部
２  外部通信部
３  デジタル放送チューナ
４  ＴＳエンコーダ
５  多重化部
６  ＯＦＤＭ変調部
【図１】
2013201601.tif 000003
【図２】
2013201601.tif 000004
【図３】
2013201601.tif 000005
【図４】
2013201601.tif 000006
【図５】
2013201601.tif 000007